(57)【特許請求の範囲】
【請求項１】
同じ周波数帯を使用し、且つ、異なる方式の無線通信を行う少なくとも第１及び第２の無線モジュールを備えた撮像装置において、
前記第１及び第２の無線モジュールのアンテナを夫々導電体である電池の両側に配置したことを特徴とする撮像装置。
【請求項２】
第１の無線モジュールは無線ＬＡＮ規格であるＩＥＥＥ８０２．１１ｂ、ＩＥＥＥ８０２．１１ｇ、或いはＩＥＥＥ８０２．１１ｂ／１１ｇに対応した無線モジュールであり、前記第２の無線モジュールはＢｌｕｅｔｏｏｔｈ（登録商標）モジュールであることを特徴とする請求項１に記載の撮像装置。
【発明の詳細な説明】
【技術分野】
【０００１】
本発明は、少なくとも２つの無線モジュールを有する撮像装置に関わり、特に夫々の無線モジュールの電波干渉を減らすのに好適なものである。
【背景技術】
【０００２】
近年、デジタルカメラといった撮像装置に無線ＬＡＮモジュールを内蔵し、撮影したデータを、無線ＬＡＮを介してコンピュータやプリンタに伝送する撮像装置が多く商品化されるようになっている。
また、それとは別にＢｌｕｅｔｏｏｔｈモジュールを内蔵し、撮影したデータを、Ｂｌｕｅｔｏｏｔｈを介してコンピュータやプリンタに伝送する、或いは撮像装置とは別のＢｌｕｅｔｏｏｔｈ機器の情報を受信するといった撮像装置も商品化されている。
なお、特許文献１には、ＴＶ放送にかかる映像等を小さなディスプレイに表示する際の表示技術であり、機器の姿勢によらずに、適宜、ディスプレイの表示を上下、左右逆転させることで常に正しい向きで表示できる携帯型電子機器が開示されている。
また、特許文献２には、カメラ使用時に手が触れずに露出する部位又はその近傍にカメラの無線アンテナを設けることにより、無線通信性能を損なうことのないカメラが開示されている。
【特許文献１】特開２００５−１９８２６２公報
【特許文献２】特開２００１−１５７０９９公報
【発明の開示】
【発明が解決しようとする課題】
【０００３】
しかしながら、無線ＬＡＮモジュールとＢｌｕｅｔｏｏｔｈモジュールの２つのモジュールを撮像装置に内蔵した場合、夫々の無線モジュールの周波数帯域がほぼ同じである場合、干渉が発生して通信できなくなるという問題点があった。
また干渉をハードウェア的に対策するものとしてコイグジスタンスと言われる技術が提案されている。これは、コイグジスタンスに対応した無線ＬＡＮ ＬＳＩとＢｌｕｅｔｏｏｔｈ ＬＳＩを用いてそれらを接続することにより、夫々のＬＳＩが電波干渉を防ぐように通信を行うものである。
【０００４】
しかしながら、コイグジスタンスを使用しようとすると、無線ＬＡＮ ＬＳＩとＢｌｕｅｔｏｏｔｈ ＬＳＩの両方にコイグジスタンスに対応したＬＳＩを使用する必要があり、また、ＬＳＩメーカによっても方式が異なるため、両方のＬＳＩを同じメーカ製の物を使用しなければならないと言った制約が多くあった。
そこで、本発明は、上述した事情に鑑みてなされたもので、少なくとも２つの無線モジュールを有する撮像装置において、夫々の無線モジュールの電波干渉を抑制することができる撮像装置を提供することを目的としている。
【課題を解決するための手段】
【０００５】
上記目的を達成するため、請求項１に記載の本発明は、同じ周波数帯を使用し、且つ、異なる方式の無線通信を行う少なくとも第１及び第２の無線モジュールを備えた撮像装置において、前記第１及び第２の無線モジュールのアンテナを夫々導電体である電池の両側に配置したことを特徴とする。
また請求項２に記載の本発明は、第１の無線モジュールは無線ＬＡＮ規格であるＩＥＥＥ８０２．１１ｂ、ＩＥＥＥ８０２．１１ｇ、或いはＩＥＥＥ８０２．１１ｂ／１１ｇに対応した無線モジュールであり、前記第２の無線モジュールはＢｌｕｅｔｏｏｔｈ（登録商標）モジュールであることを特徴とする。
【発明の効果】
【０００８】
本発明の撮像装置によれば、第１及び第２の無線モジュールに夫々備えられているアンテナ間の物理的な距離を十分に離すようにしたので第１及び第２の無線モジュール間の電波干渉を抑制することができる。
【発明を実施するための最良の形態】
【０００９】
図１は本発明の実施形態に係る撮像装置の内部構成を示したブロック図である。なお、本実施の形態では撮像装置が２つの無線モジュールを内蔵している場合を例に挙げて説明する。また２つの無線モジュールは、同じ周波数帯を使用した無線モジュール、または同じ周波数帯を使用し、且つ異なる方式で無線通信を行う無線モジュールとする。具体的には、例えば無線モジュール１９が無線ＬＡＮの規格であるＩＥＥＥ８０２．１１ｂ、ＩＥＥＥ８０２．１１ｇ、或いはＩＥＥＥ８０２．１１ｂ／１１ｇに対応した無線モジュール、無線モジュール２０がＢｌｕｅｔｏｏｔｈモジュールである。
撮像する画像はレンズ１によりＣＣＤ（Charge Coupled Device）２面に結像され、ＣＣＤ２にて画像データが電気データに変換される。電気データはＣＣＤからの信号処理を行うＦ／Ｅ（フロントエンド）３にてＡＤ変換され、ＤＳＰ４にて信号処理される。ＣＣＤ２はタイミングジェネレータ（以下、「ＴＧ」という）５のクロックによりＤＳＰ４と同期を取るように駆動される。
【００１０】
ＳＤＲＡＭ６は、ＣＣＤ出力のＡＤ変換されたＲａｗデータや信号処理されたデータをＲｅａｄ／Ｗｒｉｔｅするのに用いられる。ＥＥＰＲＯＭ７は、調整値等のデータを保存しておくのに使用される。またメモリーカード８は、撮影された画像を保存するのに使用される。ＬＣＤ９は撮像しようとする画像の表示やメモリーカードに記録してある画像の表示に使用される。
【００１１】
またＤＳＰ４はＡＦ、ＡＥ、ホワイトバランス等の評価値（ＡＦの場合は、例えば画像の周波数成分毎の積算値等）を生成し、その演算を行ない、合わせて、モータ１１を制御する機能を持つ。またＤＳＰ４は、Ｆ／Ｅ３他に対してパラメータを設定する機能と、撮影者からの操作である操作スイッチ１２からの入力を処理する機能と、撮影時の明るさが不足するときにストロボ部１３を制御する機能と、音声をマイク１４で録音し、スピーカ１５で再生する音声処理部１６を制御する機能を持つ。また、電源部１７（一般的には電池であるがＡＣアダプターを使用することもある）からＤＣ−ＤＣコンバータ１８を介して各システムに必要な電圧に変換され供給される。無線モジュール１９、２０は外部の機器（例えば、ＧＰＳ機器）からの情報を受け取ったり、外部の機器に撮像データや情報を出力するのに使用される。無線モジュール１９、２０は、夫々外部機器と通信するためにアンテナ２１、２２を有する。
【００１２】
図２は本発明の第１の実施形態に係る撮像装置の構成を示した図である。
第１の実施形態では、無線モジュール１９、２０上に夫々アンテナ２１、２２が設けられており、これらのアンテナ２１、２２を撮像装置の長手方向（ここではＸ方向）の両端に配置するようにしている。これにより、撮像装置の限られた筐体１００のサイズの中で無線モジュール１９のアンテナ２１と無線モジュール２０のアンテナ２２間の距離を十分離すことができるので、夫々の無線モジュール１９、２０の電波干渉を抑制することができる。なお、第１の実施形態では、筐体１００の前面の長手方向両端にアンテナ２１、２２を配置する例を示したが、筐体１００の上面、背面等の長手方向両端にアンテナ２１、２２を配置しても同様の効果が得られるのは言うまでもない。
【００１３】
図３は本発明の第２の実施形態に係る撮像装置の構成を示した図である。
第２の実施形態では、無線モジュールは１９、２０を筐体１００の前面側に配置すると共に、アンテナ２１、２２を筐体１００の上面側の長手方向両端に配置するようにしている。このとき、無線モジュール１９とアンテナ２１との間を同軸ケーブル等のケーブル３１により接続し、無線モジュール２０とアンテナ２２との間を同じく同軸ケーブル等のケーブル３２により接続するようにしている。
【００１４】
このように第２の実施形態では、無線モジュール１９、２０とアンテナ２１、２２とを夫々別々に構成し、無線モジュール１９とアンテナ２１とをケーブル３１により接続し、無線モジュール２０とアンテナ２２とをケーブル３２により接続するようにしている。
このように構成すれば、無線モジュール１９、２０のアンテナ２１、２２を筐体１００の長手方向両端に配置するだけで無線モジュール１９、２０間の電波干渉を抑制することができるので、無線モジュール１９、２０の配置位置は制約を受けないため、無線モジュール１９、２０の配置位置の検討がより簡単となる。
【００１５】
図４は本発明の第３の実施形態に係る撮像装置の構成を示した図である。
第３の実施形態では、筐体１００の対角線方向にアンテナ２１、２２を配置するようにしている。ここでは、撮像装置の前面（Ｘ−Ｙ面）の対角線方向にアンテナ２１、２２を配置した例である。これにより、撮像装置の限られた筐体１００のサイズの中で２つの無線モジュール１９、２０のアンテナ２１、２２間の距離を十分離すことができる。なお、第３の実施形態においても、前面に限らず上面、背面の対角線方向、及びＸ−Ｙ−Ｚ面の対角線方向にアンテナを配置することができる。
【００１６】
図５は本発明の第４の実施形態に係る撮像装置の構成を示した図である。
第４の実施形態では、撮像装置の鏡胴２３の両側にアンテナを配置するようにしている。撮像装置では鏡胴２３は大きな部品であり、その両側にアンテナ２１、２２を配置することで、２つの無線モジュール１９、２０のアンテナ２１、２２は撮像装置の限られた筐体１００のサイズの中でアンテナ間の距離を十分離すことができる。
【００１７】
図６は本発明の第５の実施形態に係る撮像装置の構成を示した図であり（ａ）は正面図、（ｂ）は（ａ）に示した矢視Ａ方向から見た上面図、（ｃ）は（ａ）に示した矢視Ｂ方向から見た側面図である。
第５の実施形態では、電池２４を挟んだ両側に無線モジュール１９、２０とそのアンテナ２１、２２を配置するようにしている。このように導電体である電池２４を挟んだ両側に無線モジュール１９、２０とアンテナ２１、２２を配置することで、片方の無線モジュールのアンテナから出た電波が導電体である電池２４により遮蔽されて、他方の無線モジュールのアンテナから出た電波と干渉を防ぐことができる。
【図面の簡単な説明】
【００１８】
【図１】本実施形態の撮像装置の内部構成を示したブロック図。
【図２】本発明の第１の実施形態に係る撮像装置の構成を示した図。
【図３】本発明の第２の実施形態に係る撮像装置の構成を示した図。
【図４】本発明の第３の実施形態に係る撮像装置の構成を示した図。
【図５】本発明の第４の実施形態に係る撮像装置の構成を示した図。
【図６】本発明の第５の実施形態に係る撮像装置の構成を示した図。
【符号の説明】
【００１９】
１…レンズ、２…ＣＣＤ、３…Ｆ／Ｅ、４…ＤＳＰ、５…ＴＧ、６…ＳＤＲＡＭ、７…ＥＥＰＲＯＭ、８…メモリーカード、９…ＬＣＤ、１１…モータ、１２…操作スイッチ、１３…ストロボ部、１４…マイク、１５…スピーカ、１６…音声処理部、１７…電源部、１８…ＤＣ−ＤＣコンバータ、１９、２０…無線モジュール、２１、２２…アンテナ、２３…鏡胴、２４…電池、３１、３２…ケーブル、１００…筐体
【図１】
0004841305.tif 000002
【図２】
0004841305.tif 000003
【図３】
0004841305.tif 000004
【図４】
0004841305.tif 000005
【図５】
0004841305.tif 000006
【図６】
0004841305.tif 000007